(57)【要約】  １つの飲料容器（７００）で飲料を準備するための飲料浸出装置であって、函体手段（１００、１０１）と浸出手段（２００）より成る。浸出手段（２００）は函体手段と糸（２０１）によって接続されている。函体手段（１００、１０１）は浸出手段（２００）を前記函体手段の内部に保管し、前記浸出手段が飲料容器（７００）内の流体に浸された後、浸出手段を函体手段の中へ引き入れて前記糸（２０１）の手段によって前記浸出手段から外へ余分な水分を押圧することを可能にする。函体手段（１００、１０１）は、飲料が準備される間さらに飲料容器（７００）の縁に適合するように溝と適合する。最後に浸出手段はフィルターバッグ（２００）から成り、飲料を作るため不溶解性の材料から成る。前記飲料浸出装置は飲料容器の流体の中に全体を浸水し、その中で拡大するために、フィルターバッグ（２００）が前記保管場所から前記糸（２０１）により懸架され、函体手段（１００、１０１）内部から懸架できるように構成される。
2009522043.tif 000002
【特許請求の範囲】
【請求項１】
１つの飲料容器（７００）に飲料を準備するための飲料浸出装置であって、前記飲料浸出手段は函体手段（１００、１０１）と浸出手段（２００）から成り、
浸出手段（２００）は糸（２０１）によって函体手段と接続し、
函体手段（１００、１０１）は浸出手段（２００）を前記函体手段の内部に収納するように構成されて、前記浸出手段が前記保管場所から飲料の準備のために飲料容器（７００）の流体の中に浸された後に、前記浸出手段を前記函体手段の中へ引き入れて余分な流体を前記糸（２０１）によって前記浸出手段から外へ押圧することを可能にし、
函体手段（１００、１０１）は飲料が準備される間飲料容器（７００）の縁に適合する溝（１０３）を備え、
浸出手段は少なくとも１つのフィルターバッグ（２００）から成り、前記フィルターバッグは飲料を作るため浸出できる材料を含み、
前記装置はフィルターバッグ（２００）が前記保管場所から函体手段（１００、１０１）の内側に懸架でき、前記糸（２０１）によって懸架されて飲料容器（７００）の流体の中に全体を浸水することができ、流体に浸された時その中で自由に拡大できるように構成されることを特徴とする飲料浸出装置。
【請求項２】
糸（２０１）の長さは、飲料が準備される時にフィルターバッグ（２００）が函体手段（１００、１０１）の完全に真下に懸架されるように構成されることを特徴とする請求項１記載の装置。
【請求項３】
溝（１０３）の長さは、飲料が準備される時に函体（１００、１０１）のいずれの部分も飲料容器（７００）内の流体に浸からないように構成されることを特徴とする請求項１または２記載の装置。
【請求項４】
糸（２０１）は、底面（２０６）の周囲に直接沿って延び、または前記フィルターバッグ（２００）の側面の内部に延びること特徴とする請求項１から３いずれか１項に記載の装置。
【請求項５】
糸（２０１）の端は、函体手段（１００、１０１）の穴（１０４）を通り、つまみ（２０２）で結集することを特徴とする請求項１から４いずれか１項に記載の装置。
【請求項６】
前記穴（１０４）は、函体手段（１００、１０１）の１つもしくは複数の側壁（１０１）に備えられることを特徴とする請求項５に記載の装置。
【請求項７】
前記穴（１０４）は、函体手段（１００、１０１）の上部（１００）に備えられことを特徴とする請求項５に記載の装置。
【請求項８】
前記装置は、フィルターバッグ（２００）を函体手段（１００、１０１）へ取り付けたり、函体手段（１００、１０１）から取り外したりする手段を有することを特徴とする請求項１から７いずれか１項に記載の装置。
【請求項９】
フィルターバッグ（２００）を函体手段（１００，１０１）へ取り付ける／函体手段（１００，１０１）から取り外す前記手段は、糸（２０１）のために溝（１０３）と穴（１０４）をつなぐ切り欠き（１０５）から成ることを特徴とする請求項８に記載の装置。
【請求項１０】
函体手段（１００、１０１）は、余分な流体をフィルターバッグ（２００）の外へ押圧するために圧縮可能であることを特徴とする請求項１から９いずれか１項に記載の装置。
【請求項１１】
函体手段（１００、１０１）は、少なくとも１つの側壁（１０１）から成り、
余分な流体をフィルターバッグ（２００）の外へ押圧するために前記側壁の一部が相互に向かって移動可能であることを特徴とする請求項１０に記載の装置。
【請求項１２】
函体手段（１００、１０１）は、複数の側壁から成り、余分な流体をフィルターバッグ（２００）の外へ押圧するために対向する側壁が相互に向かって移動可能であることを特徴とする請求項１０または１１記載の装置。
【請求項１３】
糸（２０１）は、フィルターバッグ（２００）の側壁に、または前記側壁の内側に固定されることを特徴とする請求項１から１２いずれか１項に記載の装置。
【発明の詳細な説明】
【技術分野】
【０００１】
記載されている対象は一般に飲料を準備する手段に関し、特に、１杯のコーヒーを準備するための浸出バッグに関する。前記浸出バッグは都合よくカップの縁によって支持され、カップの中で懸架されることができる。
【背景技術】
【０００２】
飲料を含むエキスの準備のための小袋の使用は一般的である。例えば、茶は長年ティーバッグで市販されており、多くの商業的成功を享受してきた。
【０００３】
焙煎して挽いたコーヒーの入った小袋、特に透水性の小袋はまた当技術分野で古くから周知である。ティーバッグの成功を再現しようとコーヒーの抽出のための小袋の作成が多く試みられてきたが、商業的に成功してティーバッグのように受け入れられるという結果には至っていない。
【０００４】
飲料浸出技術においてはコーヒーおよび茶を準備するための便利で効果的なフィルターバッグを提供する試みが行われてきた。また、前記技術において、カップの縁に安全に固定されてカップに注がれた水に接触するバッグ、及びカップの側壁から離れてカップの内側に懸架されてカップ内の水に接触するバッグを提供する試みも行われてきた。また、安価で容易に製造される小袋の浸出バッグを提供する試みも行われてきた。
【０００５】
しかしながら、従来周知技術の全てのコーヒーの小袋は明らかに不便であった。例えば、従来技術のコーヒーの小袋または袋（ここでは２つの用語は同じ意味で使用する）の使用では、一般的に抽出が弱く、それは主に小袋の繊維が抽出を抑制するためである。小袋状の製品から、抽出が抑制されているとか抽出が弱いとかいう特徴を示さないコーヒーを抽出するために、袋に含まれる焙煎して挽いた超微細粒子のコーヒーの量を増加して、満足できるフレーバーおよび濃さを提供していた。
【０００６】
さらに、焙煎して挽いた超微細粒子のコーヒーの量の増加は不都合がないわけではなかった。すなわち、超微細粒子の焙煎して挽いたコーヒーの粒子の量を大幅に増加することによって、堆積物の度合いおよび／またはコーヒー飲料に存在する粉の量は大幅に上昇した。
【０００７】
消費者はポットまたはカップの堆積物の度合いの上昇に大きな嫌悪を表わした。逆に言えば、堆積物の度合いを受け入れ可能な度合いまで減らすためには、焙煎して挽いたコーヒーの粉の大きさを上昇させる必要があり、それは、言い換えると、前述のような効果を抑制する繊維を使用して、満足できない濃さと風味の特徴の熱い飲み物を提供する結果となる。
【０００８】
理想の袋入りコーヒー製品は、抽出率の水準が高く、そのために強い濃さおよび風味の特徴を提供し、カップやポットの堆積物が完全にない飲料を提供するものであろう。この問題を解決するために、いくつかの取り組みが近年なされてきた。
【０００９】
さらに、周知の先行技術の１つの不都合は、前記のコーヒー小袋が使用時にべたつきや汚れを発生させてしまうことである。
【発明の開示】
【発明が解決しようとする課題】
【００１０】
開示された対象の目的は、使用するのに単純で簡単だがそれでもなお高級な雰囲気を作り出す１つの飲料容器内の例えばコーヒーを抽出するための使い捨ての抽出装置を提供することである。
【００１１】
本発明のさらなる目的は、例えばフィルター内の挽いたコーヒーと湯の接触を維持し、作られたコーヒーがより良い抽出の特性と周知の先行技術より少ない堆積物を有するような抽出装置を提供することである。
【課題を解決するための手段】
【００１２】
本発明は、例えばコーヒーのための便利で効率的な抽出装置であって、前記抽出装置はドリップカップと呼ばれる函体の形状の再密封可能な手段からなり、前記函体が簡単におよび安全に飲料容器の縁に固定できるように下向きに面した溝を有する。前記函体はまたその中に取り外し可能な多孔質で絞れる少なくとも１つのフィルターバッグからなる浸出バッグに適応し保管するよう構成されている。浸出バッグは、飲料の準備ために、保管場所から飲料容器の流体の中へ浸水するため解放又は移動可能である。
【００１３】
函体の溝が飲料容器の縁の上に引っ掛けられた時、多孔質フィルター浸出バッグは函体から垂れ下がって前記飲料容器の内側に懸架され、あらゆる側面から水に接触するのに簡単に利用でき、水の中で自由に拡張できる。浸出バッグは、使用後に、糸を用いてドリップカップ内に引き上げることができ、浸出バッグの余分な水分は糸によって浸出バッグを函体の上部まで引くことで絞り出すことができる。その後、ドリップカップは汚れやべたつきを回避するために再密封することができる。それゆえに、単純で簡単で使い勝手の良い抽出装置が提供される。
【００１４】
前述および記載されている対象の他の利点は以下の詳細な説明と図面の参照により明らかになる。
【発明を実施するための最良の形態】
【００１５】
通常、特許請求の範囲で用いられる全ての用語は技術分野における通常の意味によって解釈される。ただし、特許請求の範囲で明確にその他の定義がされている場合を除く。「要素、装置、成分、手段、方法、等」への全ての言及は少なくとも前記の要素、装置、成分、手段、方法、等の１つの事例に関して率直に解釈される。ただし明確にその他の定義がされた場合を除く。ここに開示されるあらゆる方法の工程は、正確な順序で実行される必要はない。ただし明確に定義付けされた場合を除く。
【００１６】
図１−７に示される概略図は抽出装置の実施例である１つのバッグである。抽出装置は函体の形状の手段から成り、ドリップカップと呼ばれる、少なくとも１つの側壁１０１と上部１００から成り、上部はさらに製品ラベルもしくは純粋に広告場所のための少なくとも１つの台１０２から成る。ドリップカップはさらに好適には製造の間ドリップカップに摘み糸を取り付けるために使われる２つの切り欠き１０５から成る。
【００１７】
さらに、ドリップカップは好適にはドリップカップの少なくとも１つの側壁にある２つの下方に面した溝１０３により飲み物を入れる器の縁に固定することができる。前記溝１０３の長さは好適には飲料を準備する間にドリップカップの一部が水に浸からないように選択される。
【００１８】
抽出装置はさらに多孔質の圧搾できる浸出装置またはコーヒーまたは茶のような浸出できる材料で部分的に満たされるフィルターバッグ２００の形状の手段から成る。
【００１９】
フィルターバッグ２００は糸２０１の閉ループによってドリップカップに結合される。糸２０１はフィルターバッグの底面２０６の周囲を直接通り、糸はさらにフィルターバッグの壁の内側とドリップカップの壁の内側へ延び、２つの糸の端はドリップカップの少なくとも１つの側壁１０１の穴１０４を通って拾い上げつまみ２０２に接続し、そこで２つの糸の端は１つに結集してその結果糸の閉ループとなる。拾い上げつまみはその結果前記ドリップカップの外側に位置される。１つの実施例では糸はフィルターバッグに２０７で固定されて安定し、抽出作業の間不動となる。糸２０１の長さは抽出の間ドリップカップから浸出装置が懸架する長さ、すなわち好適には完全に前記ドリップカップの真下になるのに十分である長さである。さらに注目すべきは糸２０１のための穴１０４はドリップカップの上部１００に代替的に位置することができる。
【００２０】
拾い上げつまみ２０２は糸の端に取り付けられて好適に手作業でフィルターバッグを拾い上げ、抽出後函体にフィルターバッグを収容する。また浸出後に糸によってフィルターバッグから余分な水分を絞り出すのに効果的である。ドリップカップの少なくとも１つの側壁１０１はまた、例えばフィルターバッグの掴み部および可動部もしくは互いにおよびフィルターバッグの中心に向かった反対側の壁によってフィルターバッグ２００から余分な水分を絞り出すのに利用できる。
【００２１】
前記のフィルターバッグはさらに少なくとも１つの区画部、または収容室を備え、そこにはコーヒーや茶のような材料の１回分を入れる。
【００２２】
さらにもう１つの実施例では、フィルターバッグはラスまたは細片のような手段を備え流体に挿入する時崩壊からフィルターバッグを防ぐため、フィルターが拡張した状況で保持できるようにおよび例えばコーヒーが流体により攪拌できるように、またそれによって有益な抽出の特徴を保つことができる。
【００２３】
抽出装置は食品包装の従来技術によって通常材料から作ることができるが、実施例の各種形状のための函体は便宜上一片から作られる撥水剤、例えば熱可塑性プラスチック、または成形プラスチック、または同等のもの、または環境問題を目的として、耐水性のある成形パルプ、例えば焼成した、内側が生分解性撥水皮膜の、紙または板状の繊維成形体や真空成形された高分子シートから作ることができる。
【００２４】
さらにもう１つの実施例では自己保存のコーヒーバッグ設備は濾紙から作られ管状で密封されてコーヒーを入れるコーヒー用のフィルターバッグを含みフィルターバッグの内容量の所定の割合であり、ある程度詰められるだけの量のコーヒーを入れる。
【００２５】
フィルターバッグ２００は密封された函体の内部に収納されて函体に適合する。すなわち、ドリップカップ１００および１０１はバッグを周囲空気より隔離する。さらに、浸出装置はそれゆえにフィルターバッグ２００が平坦に包装されること、浸水のために保管場所から湯の中へ移動して飲料の準備をすることおよび湯の中で拡大することを可能にする。開示されているものは湿式の不織繊維物質であり、剛性と浸出性質を有し浸出に好都合な包装としての使用に適している。前記繊維物質は従来の高速自動包装および熱融着設備の使用に適している。前記繊維物質はまた疎水性および熱可塑性物質でもよい。飲料浸出包装は多孔質で繊維状のセルロース物質から生成することができ、熱融着またはそうでないかどちらかの機械圧縮行為によって生じる封止シーム２０３、２０４および２０５を有する。
【００２６】
したがって、抽出装置を使用する時に、簡単にフィルターバッグ２００を広げ、フィルターバッグを保管場所から落としてドリップカップまたは函体の内側に糸２０１で自由に懸架させ、飲料容器の縁の上に函体の溝を引っ掛け、カップに温かい流体を加えるように構成されるので、フィルターバッグが液体の中に全体的に浸され、それによって拡大することができ、同時に函体は乾燥したままである。
【００２７】
飲料が準備されると、フィルターバッグ２００は簡単に取り外され、函体の穴１０４を通って順に糸２０１の閉ループを形成する糸の端につながる乾いた冷たい拾い上げつまみ２０２をつかむことによって安全に処分され、簡単に函体内に浸出バッグを引き入れ、最終的には浸出バッグから余分な水分を押圧し、次に前記函体を上下に回転させて、カバーを再度封じて抽出装置全体をごみ箱に廃棄する。
【００２８】
本発明を、主に少数の実施例を参照して前述した。しかし、容易に同業者に理解できるような、他の実施例はこれら前記開示と同等に発明の範囲内において可能であり、添付の特許請求の範囲によって定義されるとおりである。実施例の形態の個々の特徴は、実施例の他の形態の特徴により置き換えまたは追加される場合があることは、明白である。
【００２９】
この明細書内で用いられる用語は、規定された特徴、値、方法、または成分の存在を特定するが、１つまたはそれ以上のその他の特徴、値、方法、成分またはその類の存在または追加を除外しないことを強調する。
【図面の簡単な説明】
【００３０】
【図１】ドリップカップを示す。
【図２】浸出装置を示す。
【図３】ドリップカップと浸出装置の組立の斜視図である。
【図４】ドリップカップと浸出装置の組立の斜視図である。
【図５】ドリップカップと浸出装置の組立の斜視図である。
【図６】組立装置を示す。
【図７】使用時の抽出装置を示す。
【図１】
2009522043.tif 000003
【図２】
2009522043.tif 000004
【図３】
2009522043.tif 000005
【図４】
2009522043.tif 000006
【図５】
2009522043.tif 000007
【図６】
2009522043.tif 000008
【図７】
2009522043.tif 000009
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
１つの飲料容器（７００）に飲料を準備するための飲料浸出装置であって、前記飲料浸出手段は函体手段（１００、１０１）と浸出手段（２００）から成り、
浸出手段（２００）は糸（２０１）によって函体手段と接続し、
函体手段（１００、１０１）は浸出手段（２００）を前記函体手段の内部に収納するように構成されて、前記浸出手段が前記保管場所から飲料の準備のために飲料容器（７００）の流体の中に浸された後に、前記浸出手段を前記函体手段の中へ引き入れて余分な流体を前記糸（２０１）によって前記浸出手段から外へ押圧することを可能にし、
函体手段（１００、１０１）は飲料が準備される間飲料容器（７００）の縁に適合する溝（１０３）を備え、
浸出手段は少なくとも１つのフィルターバッグ（２００）から成り、前記フィルターバッグは飲料を作るため浸出できる材料を含み、
前記装置はフィルターバッグ（２００）が前記保管場所から函体手段（１００、１０１）の内側に懸架でき、前記糸（２０１）によって前記函体手段の真下に懸架されて函体手段は乾いたままで同時に飲料容器（７００）の流体の中に全体を浸水することができ、流体に浸された時その中で自由に拡大できるように構成されることを特徴とする飲料浸出装置。
【請求項２】
糸（２０１）の長さは、飲料が準備される時にフィルターバッグ（２００）が函体手段（１００、１０１）の完全に真下に懸架されるように構成されることを特徴とする請求項１記載の装置。
【請求項３】
溝（１０３）の長さは、飲料が準備される時に函体（１００、１０１）のいずれの部分も飲料容器（７００）内の流体に浸からないように構成されることを特徴とする請求項１または２記載の装置。
【請求項４】
糸（２０１）は、底面（２０６）の周囲に直接沿って延び、または前記フィルターバッグ（２００）の側面の内部に延びること特徴とする請求項１から３いずれか１項に記載の装置。
【請求項５】
糸（２０１）の端は、函体手段（１００、１０１）の穴（１０４）を通り、つまみ（２０２）で結集することを特徴とする請求項１から４いずれか１項に記載の装置。
【請求項６】
前記穴（１０４）は、函体手段（１００、１０１）の１つもしくは複数の側壁（１０１）に備えられることを特徴とする請求項５に記載の装置。
【請求項７】
前記穴（１０４）は、函体手段（１００、１０１）の上部（１００）に備えられことを特徴とする請求項５に記載の装置。
【請求項８】
前記装置は、フィルターバッグ（２００）を函体手段（１００、１０１）へ取り付けたり、函体手段（１００、１０１）から取り外したりする手段を有することを特徴とする請求項１から７いずれか１項に記載の装置。
【請求項９】
フィルターバッグ（２００）を函体手段（１００，１０１）へ取り付ける／函体手段（１００，１０１）から取り外す前記手段は、糸（２０１）のために溝（１０３）と穴（１０４）をつなぐ切り欠き（１０５）から成ることを特徴とする請求項８に記載の装置。
【請求項１０】
函体手段（１００、１０１）は、余分な流体をフィルターバッグ（２００）の外へ押圧するために圧縮可能であることを特徴とする請求項１から９いずれか１項に記載の装置。
【請求項１１】
函体手段（１００、１０１）は、少なくとも１つの側壁（１０１）から成り、
余分な流体をフィルターバッグ（２００）の外へ押圧するために前記側壁の一部が相互に向かって移動可能であることを特徴とする請求項１０に記載の装置。
【請求項１２】
函体手段（１００、１０１）は、複数の側壁から成り、余分な流体をフィルターバッグ（２００）の外へ押圧するために対向する側壁が相互に向かって移動可能であることを特徴とする請求項１０または１１記載の装置。
【請求項１３】
糸（２０１）は、フィルターバッグ（２００）の側壁に、または前記側壁の内側に固定されることを特徴とする請求項１から１２いずれか１項に記載の装置。
【国際調査報告】
2009522043.tif 000010
2009522043.tif 000011
2009522043.tif 000012
2009522043.tif 000013